(57)【要約】【課題】コンテンツが複数人で視聴された場合にも、コンテンツの視聴情報を適切に収集することが可能な視聴情報収集システムを提供する。【解決手段】視聴情報収集システム１は、再生装置２にコンテンツの再生指示を送信する第１携帯端末３と、第１携帯端末３に存在通知を送信する第２携帯端末４とを備える。第１携帯端末３は、第２携帯端末４から存在通知を受信した場合に、第１携帯端末３により再生が指示されたコンテンツのコンテンツ識別情報と、受信した存在通知とを関連付けて視聴情報として記憶する記憶部３５を含む。【選択図】図２
2012124735.tif 000002
【特許請求の範囲】
【請求項１】
コンテンツの視聴に関する情報である視聴情報を収集する視聴情報収集システムであって、
再生装置にコンテンツの再生指示を送信する第１携帯端末と、
前記第１携帯端末に存在通知を送信する第２携帯端末とを備え、
前記第１携帯端末は、前記第２携帯端末から存在通知を受信した場合に、前記第１携帯端末により再生が指示されたコンテンツのコンテンツ識別情報と、受信した存在通知とを関連付けて視聴情報として記憶する記憶部を含むこと
を特徴とする視聴情報収集システム。
【請求項２】
請求項１に記載の視聴情報収集システムであって、
存在通知には、前記第２携帯端末を識別するための端末識別情報が含まれていること
を特徴とする視聴情報収集システム。
【請求項３】
請求項１または請求項２に記載の視聴情報収集システムであって、
前記第１携帯端末は、前記再生装置にコンテンツの再生指示を送信した場合において、前記第２携帯端末から存在通知を受信したときに、視聴開始時刻を登録すること
を特徴とする視聴情報収集システム。
【請求項４】
請求項３に記載の視聴情報収集システムであって、
前記第１携帯端末は、前記再生装置によるコンテンツの再生が終了した場合において、前記第２携帯端末から存在通知を受信したときに、視聴終了時刻を登録すること
を特徴とする視聴情報収集システム。
【請求項５】
請求項１から請求項４までのいずれか一つに記載の視聴情報収集システムであって、
前記第２携帯端末は、前記第１携帯端末に存在通知を定期的に送信すること
を特徴とする視聴情報収集システム。
【請求項６】
請求項１から請求項４までのいずれか一つに記載の視聴情報収集システムであって、
前記第１携帯端末は、前記再生装置にコンテンツの再生指示を送信した場合、または、前記再生装置によるコンテンツの再生が終了した場合に、前記第２携帯端末に存在確認要求を送信し、
前記第２携帯端末は、前記第１携帯端末から存在確認要求を受信した場合に、前記第１携帯端末に存在通知を送信すること
を特徴とする視聴情報収集システム。
【請求項７】
請求項１から請求項４までのいずれか一つに記載の視聴情報収集システムであって、
前記再生装置は、コンテンツの再生を開始する際に開始通知を前記第２携帯端末に送信し、コンテンツの再生が終了する際に終了通知を前記第２携帯端末に送信する通信部を含み、
前記第２携帯端末は、前記再生装置から開始通知または終了通知を受信した場合に、前記第１携帯端末に存在通知を送信すること
を特徴とする視聴情報収集システム。
【請求項８】
請求項１から請求項４までのいずれか一つに記載の視聴情報収集システムであって、
前記再生装置は、コンテンツの再生が終了する際に終了通知を前記第２携帯端末に送信する通信部を含み、
前記第１携帯端末は、前記再生装置にコンテンツの再生指示を送信する際に、前記第２携帯端末にもコンテンツの再生指示を送信し、
前記第２携帯端末は、前記第１携帯端末から再生指示を受信した場合、または、前記再生装置から終了通知を受信した場合に、前記第１携帯端末に存在通知を送信すること
を特徴とする視聴情報収集システム。
【請求項９】
請求項１から請求項８までのいずれか一つに記載の視聴情報収集システムであって、
コンテンツは、広告コンテンツであること
を特徴とする視聴情報収集システム。
【請求項１０】
請求項１から請求項８までのいずれか一つに記載の視聴情報収集システムであって、
コンテンツは、課金コンテンツであること
を特徴とする視聴情報収集システム。
【請求項１１】
記憶部を含む第１携帯端末と、第２携帯端末とを備える視聴情報収集システムによる視聴情報収集方法であって、
前記第１携帯端末が再生装置にコンテンツの再生指示を送信するステップと、
前記第２携帯端末が前記第１携帯端末に存在通知を送信するステップと、
前記第１携帯端末が、前記第２携帯端末から存在通知を受信した場合に、前記第１携帯端末により再生が指示されたコンテンツのコンテンツ識別情報と、受信した存在通知とを関連付けて視聴情報として前記記憶部に記憶するステップとを備えること
を特徴とする視聴情報収集方法。
【請求項１２】
コンテンツの視聴に関する情報である視聴情報を収集する視聴情報収集システムであって、
再生装置にコンテンツの再生指示を送信する第１携帯端末と、
前記第１携帯端末に存在通知を送信する第２携帯端末とを備え、
前記第１携帯端末は、前記第２携帯端末から存在通知を受信した場合に、前記第１携帯端末により再生が指示されたコンテンツのコンテンツ識別情報と、受信した存在通知に基づいて判断される視聴者数とを関連付けて視聴情報として記憶する記憶部を含むこと
を特徴とする視聴情報収集システム。
【発明の詳細な説明】
【技術分野】
【０００１】
本発明は、コンテンツの視聴情報を収集する視聴情報収集システムおよび視聴情報収集方法に関する。
【背景技術】
【０００２】
従来、コンテンツの視聴情報を収集する視聴情報収集システムが種々知られている（たとえば、特許文献１および特許文献２参照）。
【０００３】
特許文献１には、携帯端末と、視聴履歴情報管理サーバとを備えたテレビ視聴履歴収集システムが開示されている。携帯端末は、テレビ受像機を操作するテレビ操作部と、テレビ操作部で操作されたテレビ番組（コンテンツ）の視聴に関する操作の履歴情報を格納する操作履歴格納部と、操作履歴格納部に格納された操作履歴情報を送信するネットワーク送受信部とを含んでいる。視聴履歴情報管理サーバは、携帯端末から操作履歴情報を受信するネットワーク送受信部と、操作履歴情報に基づいて視聴されたテレビ番組を放送した放送局を判別する放送局判別部と、判別された放送局情報と操作履歴情報とを対応付けたテレビ視聴履歴情報を格納するテレビ視聴履歴格納部とを含んでいる。したがって、特許文献１のテレビ視聴履歴収集システムでは、携帯端末の操作履歴情報を収集することにより、個人視聴率を正確に測定することが可能である。
【０００４】
特許文献２には、複数のリモコンと、リモコンにより操作されるテレビ受信機と、視聴情報収集サーバとを備えた視聴情報収集システムが開示されている。各リモコンは、テレビ受信機の操作内容を示す操作情報が入力される入力部と、識別記号が記憶された記憶部と、入力部に入力された操作情報に識別記号を付してテレビ受信機に送信する入力信号送信部とを有する。テレビ受信機は、リモコンから操作情報および識別記号を受信する入力信号受信部と、テレビ受信機の状態情報を検出する状態情報検出部と、状態情報および識別記号を視聴情報収集サーバに送信する通信部とを有する。視聴情報収集サーバは、テレビ受信機から状態情報および識別記号を受信する通信部と、状態情報と識別記号とが関連付けられて登録されるデータベースとを有する。したがって、特許文献２の視聴情報収集システムでは、識別記号に関連付けられた状態情報に基づいて、どのユーザがどのテレビ番組を視聴したかといった情報をも入手することが可能である。
【先行技術文献】
【特許文献】
【０００５】
【特許文献１】特開２００５−７９６０９号公報
【特許文献２】特開２００５−１５１０９８号公報
【発明の概要】
【発明が解決しようとする課題】
【０００６】
しかしながら、特許文献１に開示された従来のテレビ視聴履歴収集システムでは、テレビ受像機を操作した携帯端末の利用者の視聴履歴しか収集することができないという問題点がある。すなわち、１台のテレビ受像機に表示されるテレビ番組が複数人で視聴された場合には、テレビ受像機を操作した携帯端末の利用者の視聴履歴を収集することが可能であるが、テレビ受像機を操作していない携帯端末の利用者の視聴履歴を収集することができないという問題点がある。したがって、１台のテレビ受像機に表示されるテレビ番組が複数人で視聴された場合には、視聴履歴を適切に収集することが困難であるという問題点がある。なお、特許文献２に開示された従来の視聴情報収集システムについても、同様の問題点がある。
【０００７】
本発明は、上記の課題を解決するためになされたものであり、コンテンツが複数人で視聴された場合にも、コンテンツの視聴情報を適切に収集することが可能な視聴情報収集システムおよび視聴情報収集方法を提供することを目的とする。
【課題を解決するための手段】
【０００８】
本発明に係る視聴情報収集システムは、コンテンツの視聴に関する情報である視聴情報を収集する視聴情報収集システムであって、再生装置にコンテンツの再生指示を送信する第１携帯端末と、前記第１携帯端末に存在通知を送信する第２携帯端末とを備え、前記第１携帯端末は、前記第２携帯端末から存在通知を受信した場合に、前記第１携帯端末により再生が指示されたコンテンツのコンテンツ識別情報と、受信した存在通知とを関連付けて視聴情報として記憶する記憶部を含むことを特徴とする。
【０００９】
この構成によって、再生装置にコンテンツの再生指示を送信していない第２携帯端末の視聴情報を第１携帯端末が収集することができる。したがって、第１携帯端末の記憶部に記憶された視聴情報に基づいて、第１携帯端末により再生が指示されたコンテンツを第２携帯端末の利用者が視聴したか否かを判断することができる。すなわち、第１携帯端末により再生が指示されたコンテンツが複数人で視聴された場合にも、コンテンツの視聴情報を適切に収集することができる。
【００１０】
本発明に係る視聴情報収集システムでは、存在通知には、前記第２携帯端末を識別するための端末識別情報が含まれていることを特徴とする。
【００１１】
この構成により、存在通知を受信した第１携帯端末が第２携帯端末を容易に識別することができる。
【００１２】
本発明に係る視聴情報収集システムでは、前記第１携帯端末は、前記再生装置にコンテンツの再生指示を送信した場合において、前記第２携帯端末から存在通知を受信したときに、視聴開始時刻を登録することを特徴とする。
【００１３】
この構成により、第１携帯端末の記憶部に記憶された視聴情報に基づいて、第２携帯端末の利用者がコンテンツの視聴を開始した時刻を判断することができる。
【００１４】
本発明に係る視聴情報収集システムでは、前記第１携帯端末は、前記再生装置によるコンテンツの再生が終了した場合において、前記第２携帯端末から存在通知を受信したときに、視聴終了時刻を登録することを特徴とする。
【００１５】
この構成により、第１携帯端末の記憶部に記憶された視聴情報に基づいて、第２携帯端末の利用者がコンテンツの視聴を終了した時刻を判断することができる。
【００１６】
本発明に係る視聴情報収集システムでは、前記第２携帯端末は、前記第１携帯端末に存在通知を定期的に送信することを特徴とする。
【００１７】
この構成により、再生装置によるコンテンツの再生が開始されてから所定の時間（定期的に送信される存在通知の送信間隔）が経過する前、または、再生装置によるコンテンツの再生が終了されてから所定の時間が経過する前に、第２携帯端末から第１携帯端末に存在通知を送信することができる。
【００１８】
本発明に係る視聴情報収集システムでは、前記第１携帯端末は、前記再生装置にコンテンツの再生指示を送信した場合、または、前記再生装置によるコンテンツの再生が終了した場合に、前記第２携帯端末に存在確認要求を送信し、前記第２携帯端末は、前記第１携帯端末から存在確認要求を受信した場合に、前記第１携帯端末に存在通知を送信することを特徴とする。
【００１９】
この構成により、再生装置によるコンテンツの再生が開始される際、または、再生装置によるコンテンツの再生が終了される際に、第２携帯端末から第１携帯端末に存在通知を送信することができる。
【００２０】
本発明に係る視聴情報収集システムでは、前記再生装置は、コンテンツの再生を開始する際に開始通知を前記第２携帯端末に送信し、コンテンツの再生が終了する際に終了通知を前記第２携帯端末に送信する通信部を含み、前記第２携帯端末は、前記再生装置から開始通知または終了通知を受信した場合に、前記第１携帯端末に存在通知を送信することを特徴とする。
【００２１】
この構成により、再生装置によるコンテンツの再生が開始される際、または、再生装置によるコンテンツの再生が終了される際に、第２携帯端末から第１携帯端末に存在通知を送信することができる。
【００２２】
本発明に係る視聴情報収集システムでは、前記再生装置は、コンテンツの再生が終了する際に終了通知を前記第２携帯端末に送信する通信部を含み、前記第１携帯端末は、前記再生装置にコンテンツの再生指示を送信する際に、前記第２携帯端末にもコンテンツの再生指示を送信し、前記第２携帯端末は、前記第１携帯端末から再生指示を受信した場合、または、前記再生装置から終了通知を受信した場合に、前記第１携帯端末に存在通知を送信することを特徴とする。
【００２３】
この構成により、再生装置によるコンテンツの再生が開始される際、または、再生装置によるコンテンツの再生が終了される際に、第２携帯端末から第１携帯端末に存在通知を送信することができる。
【００２４】
本発明に係る視聴情報収集システムでは、コンテンツは、広告コンテンツであることを特徴とする。
【００２５】
この構成により、広告コンテンツの視聴情報を収集することができる。
【００２６】
本発明に係る視聴情報収集システムでは、コンテンツは、課金コンテンツであることを特徴とする。
【００２７】
この構成により、課金コンテンツの視聴情報を収集することができる。
【００２８】
本発明に係る視聴情報収集方法は、記憶部を含む第１携帯端末と、第２携帯端末とを備える視聴情報収集システムによる視聴情報収集方法であって、前記第１携帯端末が再生装置にコンテンツの再生指示を送信するステップと、前記第２携帯端末が前記第１携帯端末に存在通知を送信するステップと、前記第１携帯端末が、前記第２携帯端末から存在通知を受信した場合に、前記第１携帯端末により再生が指示されたコンテンツのコンテンツ識別情報と、受信した存在通知とを関連付けて視聴情報として前記記憶部に記憶するステップとを備えることを特徴とする。
【００２９】
この構成によって、再生装置にコンテンツの再生指示を送信していない第２携帯端末の視聴情報を第１携帯端末が収集することができる。したがって、第１携帯端末の記憶部に記憶された視聴情報に基づいて、第１携帯端末により再生が指示されたコンテンツを第２携帯端末の利用者が視聴したか否かを判断することができる。すなわち、第１携帯端末により再生が指示されたコンテンツが複数人で視聴された場合にも、コンテンツの視聴情報を適切に収集することができる。
【００３０】
本発明に係る視聴情報収集システムは、コンテンツの視聴に関する情報である視聴情報を収集する視聴情報収集システムであって、再生装置にコンテンツの再生指示を送信する第１携帯端末と、前記第１携帯端末に存在通知を送信する第２携帯端末とを備え、前記第１携帯端末は、前記第２携帯端末から存在通知を受信した場合に、前記第１携帯端末により再生が指示されたコンテンツのコンテンツ識別情報と、受信した存在通知に基づいて判断される視聴者数とを関連付けて視聴情報として記憶する記憶部を含むことを特徴とする。
【００３１】
この構成によって、再生装置にコンテンツの再生指示を送信していない第２携帯端末の視聴情報を第１携帯端末が収集することができる。したがって、第１携帯端末の記憶部に記憶された視聴情報に基づいて、第１携帯端末により再生が指示されたコンテンツの視聴者数を判断することができる。すなわち、第１携帯端末により再生が指示されたコンテンツが複数人で視聴された場合にも、コンテンツの視聴情報を適切に収集することができる。
【発明の効果】
【００３２】
本発明に係る視聴情報収集システムおよび視聴情報収集方法によれば、コンテンツが複数人で視聴された場合にも、コンテンツの視聴情報を適切に収集することができる。
【図面の簡単な説明】
【００３３】
【図１】本発明の実施の形態１に係る視聴情報収集システムの構成を示した概略図である。
【図２】図１に示した視聴情報収集システムのブロック構成を示したブロック図である。
【図３】図２に示した視聴情報収集システムの再生装置のコマンドリストを示した図である。
【図４】図２に示した視聴情報収集システムの第１携帯端末のコマンドリストを示した図である。
【図５】図２に示した視聴情報収集システムの第１携帯端末の端末識別情報を示した図である。
【図６】図２に示した視聴情報収集システムの第１携帯端末の視聴情報を示した図である。
【図７】図２に示した視聴情報収集システムの第２携帯端末の端末識別情報を示した図である。
【図８】図２に示した視聴情報収集システムの第２携帯端末の動作を説明するフローチャートである。
【図９】図２に示した視聴情報収集システムの第１携帯端末および再生装置の動作を説明するフローチャートである。
【図１０】図２に示した視聴情報収集システムの第１携帯端末の再生指示を説明する図である。
【図１１】図２に示した視聴情報収集システムの再生装置の応答を説明する図である。
【図１２】図２に示した視聴情報収集システムの第１携帯端末の視聴情報に視聴開始時刻が登録された状態を示した図である。
【図１３】図２に示した視聴情報収集システムの再生装置の終了通知を説明する図である。
【図１４】図２に示した視聴情報収集システムの第１携帯端末の視聴情報に視聴終了時刻が登録された状態を示した図である。
【図１５】本発明の実施の形態２に係る視聴情報収集システムの第２携帯端末の動作を説明するフローチャートである。
【図１６】本発明の実施の形態２に係る視聴情報収集システムの第１携帯端末および再生装置の動作を説明するフローチャートである。
【図１７】本発明の実施の形態３に係る視聴情報収集システムの第２携帯端末の動作を説明するフローチャートである。
【図１８】本発明の実施の形態３に係る視聴情報収集システムの再生装置の開始通知を説明する図である。
【図１９】本発明の実施の形態３に係る視聴情報収集システムの第１携帯端末および再生装置の動作を説明するフローチャートである。
【図２０】本発明の実施の形態４に係る視聴情報収集システムの第２携帯端末の動作を説明するフローチャートである。
【図２１】本発明の実施の形態４に係る視聴情報収集システムの第１携帯端末および再生装置の動作を説明するフローチャートである。
【図２２】本発明の実施の形態５に係る視聴情報収集システムの構成を示した概略図である。
【図２３】図２２に示した視聴情報収集システムのブロック構成を示したブロック図である。
【発明を実施するための形態】
【００３４】
以下、本発明の実施の形態について図面を参照して説明する。
【００３５】
＜実施の形態１＞
図１は、本発明の実施の形態１に係る視聴情報収集システムの構成を示した概略図である。図１を参照して、実施の形態１に係る視聴情報収集システム１の構成の概略について説明する。
【００３６】
視聴情報収集システム１は、再生装置２と、第１携帯端末３と、第２携帯端末４とを備え、これらがルータ５を介して相互に接続されている。視聴情報収集システム１は、コンテンツの視聴（視聴状況）に関する情報である視聴情報を収集するように構成されている。
【００３７】
再生装置２は、たとえば、デジタルテレビジョン受像機であり、有線ＬＡＮ（Local Area Network）でルータ５に接続されている。第１携帯端末３および第２携帯端末４は、たとえば、スマートフォンや携帯電話機であり、無線ＬＡＮでルータ５に接続されている。なお、図１では、説明の簡略化のために、第２携帯端末４を１台だけ示したが、第２携帯端末４が複数台存在していてもよい。また、有線ＬＡＮの規格としては、たとえば、イーサネット（登録商標）があり、無線ＬＡＮの規格としては、たとえば、ＩＥＥＥ８０２．１１ａ／ｂ／ｇ／ｎなどがある。
【００３８】
なお、再生装置２が無線ＬＡＮでルータ５に接続されていてもよいし、第１携帯端末３および第２携帯端末４が有線ＬＡＮでルータ５に接続されていてもよい。また、再生装置２、第１携帯端末３および第２携帯端末４がBluetooth（登録商標）や赤外線などのその他の無線通信で接続されていてもよい。
【００３９】
図２は、図１に示した視聴情報収集システムのブロック構成を示したブロック図である。図３は、図２に示した視聴情報収集システムの再生装置のコマンドリストを示した図である。図４は、図２に示した視聴情報収集システムの第１携帯端末のコマンドリストを示した図である。図５は、図２に示した視聴情報収集システムの第１携帯端末の端末識別情報を示した図である。図６は、図２に示した視聴情報収集システムの第１携帯端末の視聴情報を示した図である。図７は、図２に示した視聴情報収集システムの第２携帯端末の端末識別情報を示した図である。図２〜図７を参照して、視聴情報収集システム１の構成について説明する。
【００４０】
再生装置２は、受信部２１と、表示部２２と、操作部２３と、通信部２４と、記憶部２５と、一時記憶部２６と、制御部２７とを含んでいる。
【００４１】
受信部２１は、たとえば、チューナであり、デジタルテレビジョン放送を受信する機能を有する。表示部２２は、たとえば、液晶ディスプレイであり、受信部２１により受信したコンテンツなどを表示するように構成されている。操作部２３は、電源スイッチなどを含み、利用者が各種の操作指令を入力するために設けられている。通信部２４は、たとえば、イーサネット端子などを含み、家庭内ネットワーク６に接続されている。なお、家庭内ネットワーク６は、ルータ５（図１参照）や有線ＬＡＮおよび無線ＬＡＮなどにより構成されている。
【００４２】
記憶部２５は、たとえば、フラッシュメモリであり、再生装置２を動作させるためのプログラムや、プログラムが実行される際に用いられる設定値などを記憶する機能を有する。また、記憶部２５には、コマンドの番号とコマンドの内容との対応関係を示すコマンドリスト２５ａ（図３参照）が記憶されている。コマンドリスト２５ａは、第１携帯端末３とコマンドをやり取りするためのリストである。コマンドリスト２５ａでは、たとえば、コマンドコード「１１」に「再生指示応答」が割り当てられている。
【００４３】
一時記憶部２６は、たとえば、ＤＲＡＭ（Dynamic Random Access Memory）であり、実行されるプログラムなどを一時的に記憶する機能を有する。制御部２７は、記憶部２５に記憶されたプログラム（インストールされたプログラム）を実行するＣＰＵ（Central Processing Unit）などを含み、再生装置２の動作を制御するために設けられている。
【００４４】
第１携帯端末３は、記録部３１と、表示部３２と、操作部３３と、通信部３４と、記憶部３５と、一時記憶部３６と、制御部３７とを含んでいる。
【００４５】
記録部３１は、たとえば、ハードディスクドライブなどの磁気ディスク装置であり、コンテンツが記録されている。なお、コンテンツは、広告コンテンツであってもよいし、課金コンテンツであってもよい。また、コンテンツは、３Ｇ（第３世代移動通信システム）ネットワークや近距離無線転送技術であるTransferJet（登録商標）を用いて取得されてもよいし、ＳＤカードなどの記憶媒体から取得されていてもよい。
【００４６】
表示部３２は、たとえば、液晶ディスプレイであり、第１携帯端末３の動作状態などを表示するように構成されている。操作部３３は、電源スイッチなどを含み、利用者が各種の操作指令を入力するために設けられている。通信部３４は、無線ＬＡＮインターフェースなどを含み、家庭内ネットワーク６に接続されている。
【００４７】
記憶部３５は、たとえば、フラッシュメモリであり、第１携帯端末３を動作させるためのプログラムや、プログラムが実行される際に用いられる設定値などを記憶する機能を有する。また、記憶部３５には、コマンドの番号とコマンドの内容との対応関係を示すコマンドリスト３５ａ（図４参照）が記憶されている。コマンドリスト３５ａは、再生装置２とコマンドをやり取りするためのリストであり、コマンドリスト２５ａ（図３参照）と同様のリストである。コマンドリスト３５ａでは、たとえば、コマンドコード「０１」に「再生指示要求」が割り当てられている。
【００４８】
また、記憶部３５には、携帯端末を識別するための端末識別情報３５ｂ（図５参照）が記憶されている。図５の例では、端末識別情報３５ｂには端末名と端末固有ＩＤとが含まれており、端末名が「端末１」であり、端末固有ＩＤが「b1ff21」である。なお、端末名は、端末のモデル名であってもよいし、利用者が設定した名称であってもよい。端末固有ＩＤは、たとえば、ＭＡＣ（Media Access Control）アドレス、ユニバーサル・プラグ・アンド・プレイ（ＵＰｎＰ）のＩＤ、または、電話番号であってもよい。
【００４９】
また、記憶部３５には、記録部３１に記録されたコンテンツの視聴情報３５ｃ（図６参照）が記憶されている。視聴情報３５ｃには、コンテンツを識別するためのコンテンツ識別情報（コンテンツＩＤ）と、コンテンツの視聴開始時刻および視聴終了時刻と、端末識別情報とが含まれている。視聴情報３５ｃには、たとえば、「端末１/b1ff21」、「端末４/fbeba1」および「端末５/1a890e」がコンテンツ「40a31b0053」を視聴開始時刻「2010/8/9 13:22」から視聴終了時刻「2010/8/9 13:28」まで視聴した旨を示す情報が記憶されている。なお、視聴情報３５ｃの収集動作については、後で詳細に説明する。
【００５０】
一時記憶部３６は、たとえば、ＤＲＡＭであり、実行されるプログラムなどを一時的に記憶する機能を有する。制御部３７は、記憶部３５に記憶されたプログラムを実行するＣＰＵなどを含み、第１携帯端末３の動作を制御するために設けられている。
【００５１】
第２携帯端末４は、表示部４１と、操作部４２と、通信部４３と、記憶部４４と、一時記憶部４５と、制御部４６とを含んでいる。
【００５２】
表示部４１は、たとえば、液晶ディスプレイであり、第２携帯端末４の動作状態などを表示するように構成されている。操作部４２は、電源スイッチなどを含み、利用者が各種の操作指令を入力するために設けられている。通信部４３は、無線ＬＡＮインターフェースなどを含み、家庭内ネットワーク６に接続されている。
【００５３】
記憶部４４は、たとえば、フラッシュメモリであり、第２携帯端末４を動作させるためのプログラムや、プログラムが実行される際に用いられる設定値などを記憶する機能を有する。また、記憶部４４には、携帯端末を識別するための端末識別情報４４ａ（図７参照）が記憶されている。図７の例では、端末識別情報４４ａには端末名と端末固有ＩＤとが含まれており、端末名が「端末２」であり、端末固有ＩＤが「0b257a」である。
【００５４】
一時記憶部４５は、たとえば、ＤＲＡＭであり、実行されるプログラムなどを一時的に記憶する機能を有する。制御部４６は、記憶部４４に記憶されたプログラムを実行するＣＰＵなどを含み、第２携帯端末４の動作を制御するために設けられている。
【００５５】
図８は、図２に示した視聴情報収集システムの第２携帯端末の動作を説明するフローチャートである。図８を参照して、実施の形態１に係る視聴情報収集システム１の第２携帯端末４（図２参照）の動作を説明する。
【００５６】
ステップＳ１：
制御部４６（図２参照）により、所定の時間が経過したか否かが判断される。なお、所定の時間とは、予め設定された一定の時間であってもよいし、第１携帯端末３と事前に情報をやり取りすることにより設定された時間であってもよい。そして、所定の時間が経過していないと判断される場合（ステップＳ１：No）には、ステップＳ１が繰り返し行われる。すなわち、第２携帯端末４は、所定の時間が経過するまで待機する。そして、所定の時間が経過したと判断される場合（ステップＳ１：Yes）には、ステップＳ２に移る。
【００５７】
ステップＳ２：
制御部４６により、通信部４３（図２参照）から家庭内ネットワーク６（図２参照）に存在通知がマルチキャストで送信される。この存在通知には、記憶部４４（図２参照）に記憶された端末識別情報４４ａ（図７参照）が含まれている。その後、ステップＳ１に戻る。
【００５８】
つまり、第２携帯端末４は、存在通知を定期的に送信する。このように構成することにより、再生装置２によるコンテンツの再生が開始されてから予め設定された時間が経過する前に、第２携帯端末４から第１携帯端末３に存在通知を送信することができ、再生装置２によるコンテンツの再生が終了されてから予め設定された時間が経過する前に、第２携帯端末４から第１携帯端末３に存在通知を送信することができる。
【００５９】
なお、第２携帯端末４は、家庭内ネットワーク６に第１携帯端末３が存在することを事前に把握している場合には、存在通知をマルチキャスト送信ではなく、第１携帯端末３へユニキャスト送信するようにしてもよい。
【００６０】
図９は、図２に示した視聴情報収集システムの第１携帯端末および再生装置の動作を説明するフローチャートである。図１０は、図２に示した視聴情報収集システムの第１携帯端末の再生指示を説明する図である。図１１は、図２に示した視聴情報収集システムの再生装置の応答を説明する図である。図１２は、図２に示した視聴情報収集システムの第１携帯端末の視聴情報に視聴開始時刻が登録された状態を示した図である。図１３は、図２に示した視聴情報収集システムの再生装置の終了通知を説明する図である。図１４は、図２に示した視聴情報収集システムの第１携帯端末の視聴情報に視聴終了時刻が登録された状態を示した図である。図９〜図１４を参照して、実施の形態１に係る視聴情報収集システム１の第１携帯端末３および再生装置２（図２参照）のコンテンツの再生時の動作を説明する。
【００６１】
ステップＳ１１：
第１携帯端末３では、制御部３７（図２参照）により、記録部３１（図２参照）に記録されたコンテンツの再生が指示されたか否かが判断される。具体的には、第１携帯端末３の利用者からのコンテンツの再生の指示を操作部３３（図２参照）が受け付けたか否かが判断される。そして、コンテンツの再生が指示されていないと判断される場合（ステップＳ１１：No）には、ステップＳ１１が繰り返し行われる。すなわち、第１携帯端末３は、コンテンツの再生が指示されるまで待機する。そして、コンテンツの再生が指示されたと判断される場合（ステップＳ１１：Yes）には、ステップＳ１２に移る。
【００６２】
ステップＳ１２：
制御部３７により、通信部３４（図２参照）から家庭内ネットワーク６を介して再生装置２にコンテンツの再生指示Ｐ１（図１０参照）が送信される。再生指示Ｐ１には、コマンドの番号（コマンドコード）と、コンテンツ識別情報（コンテンツＩＤ）と、コンテンツのタイトルと、コンテンツの時間長と、コンテンツの容量（サイズ）と、コンテンツの位置情報（ＵＲＬ：Uniform Resource Locator）と、送信元の端末識別情報とが含まれている。その後、ステップＳ１３に移る。
【００６３】
ステップＳ２１：
再生装置２では、制御部２７（図２参照）により、通信部２４（図２参照）が再生指示Ｐ１を受信したか否かが判断される。そして、コンテンツの再生指示Ｐ１を受信していないと判断される場合（ステップＳ２１：No）には、ステップＳ２１が繰り返し行われる。すなわち、再生装置２は、コンテンツの再生指示Ｐ１を受信するまで待機する。そして、コンテンツの再生指示Ｐ１を受信したと判断される場合（ステップＳ２１：Yes）には、ステップＳ２２に移る。
【００６４】
ステップＳ２２：
制御部２７により、通信部２４から家庭内ネットワーク６を介して第１携帯端末３にコンテンツの再生指示に対する応答Ｐ２（図１１参照）が送信される。応答Ｐ２には、コマンドの番号（コマンドコード）と、コンテンツ識別情報（コンテンツＩＤ）と、制御対象（再生装置２）を識別するための制御対象識別情報（コントロールＩＤ）とが含まれている。その後、ステップＳ２３に移る。
【００６５】
ステップＳ１３：
第１携帯端末３では、制御部３７により、通信部３４が応答Ｐ２を受信したか否かが判断される。そして、応答Ｐ２を受信していないと判断される場合（ステップＳ１３：No）には、ステップＳ１３が繰り返し行われる。その一方、応答Ｐ２を受信したと判断される場合（ステップＳ１３：Yes）には、ステップＳ１４に移る。
【００６６】
ステップＳ１４：
制御部３７により、上記したステップＳ２において第２携帯端末４から家庭内ネットワーク６にマルチキャストで送信される存在通知を通信部３４が受信したか否かが判断される。そして、存在通知を受信していないと判断される場合（ステップＳ１４：No）には、ステップＳ１４が繰り返し行われる。その一方、存在通知を受信したと判断される場合（ステップＳ１４：Yes）には、ステップＳ１５に移る。
【００６７】
ステップＳ１５：
制御部３７により、コンテンツの視聴開始時刻が記憶部３５の視聴情報３５ｃ（図１２参照）に登録される。なお、存在通知には第２携帯端末４の端末識別情報４４ａが含まれていることから、存在通知を受信した第１携帯端末３が第２携帯端末４を容易に識別することができる。このとき、視聴情報３５ｃには、再生が指示されたコンテンツのコンテンツ識別情報「5a4c75e77a」と、コンテンツの視聴開始時刻「2010/9/3 21:04」と、コンテンツの再生指示Ｐ１を送信した第１携帯端末３の端末識別情報「端末１/b1ff21」および第１携帯端末３により受信された存在通知を送信した第２携帯端末４の端末識別情報「端末２/0b257a」とが関連付けられて登録される。なお、この視聴開始時刻は、存在通知を受信した時刻であるが、再生装置２によるコンテンツの再生が開始された時刻と近い時刻である。その後、ステップＳ１６に移る。
【００６８】
ステップＳ２３：
再生装置２では、制御部２７により、再生が指示されたコンテンツが取得される。具体的には、第１携帯端末３の記録部３１に記録されたコンテンツを家庭内ネットワーク６を介して通信部２４が受信する。その後、ステップＳ２４に移る。
【００６９】
ステップＳ２４：
制御部２７により、取得されたコンテンツが再生される。具体的には、表示部２２（図２参照）により取得されたコンテンツの映像が表示され、スピーカ（図示省略）により取得されたコンテンツの音声が再生される。その後、ステップＳ２５に移る。
【００７０】
ステップＳ２５：
制御部２７により、コンテンツの再生が終了したか否かが判断される。そして、コンテンツの再生が終了していないと判断される場合（ステップＳ２５：No）には、ステップＳ２３に戻る。その一方、コンテンツの再生が終了したと判断される場合（ステップＳ２５：Yes）には、ステップＳ２６に移る。
【００７１】
ステップＳ２６：
制御部２７により、通信部２４から家庭内ネットワーク６を介して第１携帯端末３にコンテンツの再生の終了通知Ｐ３（図１３参照）が送信される。終了通知Ｐ３には、コマンドの番号（コマンドコード）と、コンテンツ識別情報（コンテンツＩＤ）と、制御対象を識別するための制御対象識別情報（コントロールＩＤ）とが含まれている。これにより、第１携帯端末３により再生が指示された際の再生装置２の動作が終了する。
【００７２】
ステップＳ１６：
第１携帯端末３では、制御部３７により、通信部３４が終了通知Ｐ３を受信したか否かが判断される。そして、終了通知Ｐ３を受信していないと判断される場合（ステップＳ１６：No）には、ステップＳ１６が繰り返し行われる。その一方、終了通知Ｐ３を受信したと判断される場合（ステップＳ１６：Yes）には、ステップＳ１７に移る。
【００７３】
ステップＳ１７：
制御部３７により、上記したステップＳ２において第２携帯端末４から家庭内ネットワーク６にマルチキャストで送信される存在通知を通信部３４が受信したか否かが判断される。そして、存在通知を受信していないと判断される場合（ステップＳ１７：No）には、ステップＳ１７が繰り返し行われる。その一方、存在通知を受信したと判断される場合（ステップＳ１７：Yes）には、ステップＳ１８に移る。
【００７４】
ステップＳ１８：
制御部３７により、コンテンツの視聴終了時刻が記憶部３５の視聴情報３５ｃ（図１４参照）に登録される。このとき、視聴情報３５ｃには、コンテンツの視聴終了時刻「2010/9/3 21:14」が登録される。なお、この視聴終了時刻は、存在通知を受信した時刻であるが、再生装置２によるコンテンツの再生が終了された時刻と近い時刻である。以上により、コンテンツの再生時の第１携帯端末３の動作が終了される。
【００７５】
上述したように、実施の形態１による視聴情報収集システム１では、第２携帯端末４は、通信部４３から家庭内ネットワーク６に存在通知を定期的にマルチキャストで送信し、第１携帯端末３は、再生指示Ｐ１を通信部３４から家庭内ネットワーク６を介して再生装置２に送信した後に、第２携帯端末４から存在通知を受信した場合に、コンテンツの視聴開始時刻を登録し、通信部３４が再生装置２から終了通知Ｐ３を受信した後に、第２携帯端末４から存在通知を受信した場合に、コンテンツの視聴終了時刻を登録するように構成されている。このように構成することにより、存在通知が第２携帯端末４から第１携帯端末３に一方的に送信されるので、第２携帯端末４が家庭内ネットワーク６に存在するか否かを第１携帯端末３が容易に判断することができる。
【００７６】
上記のように、視聴情報収集システム１は、再生装置２にコンテンツの再生指示Ｐ１を送信する第１携帯端末３と、第１携帯端末３に存在通知を送信する第２携帯端末４とを備え、第１携帯端末３は、第２携帯端末４から存在通知を受信した場合に、第１携帯端末３により再生が指示されたコンテンツのコンテンツ識別情報と、受信した存在通知とを関連付けて視聴情報３５ｃとして記憶する記憶部３５を含む。
【００７７】
このように構成することによって、コンテンツの再生指示Ｐ１を送信していない第２携帯端末４の視聴情報を第１携帯端末３が収集することができる。したがって、第１携帯端末３の記憶部３５に記憶された視聴情報３５ｃに基づいて、第１携帯端末３により再生が指示されたコンテンツを第２携帯端末４の利用者が視聴したか否かを判断することができる。すなわち、第１携帯端末３により再生が指示されたコンテンツが複数人で視聴された場合にも、コンテンツの視聴情報を適切に収集することができる。その結果、コンテンツの視聴者数などの視聴状況を判断することができる。
【００７８】
なお、視聴情報収集システム１の利用方法としては、たとえば、第１携帯端末３の利用者がある店舗の広告コンテンツを取得し、その広告コンテンツを再生装置２に再生させることにより、第１携帯端末３の利用者および第２携帯端末４の利用者が広告コンテンツを視聴した場合には、広告コンテンツを第２携帯端末４の利用者に見せたことによる宣伝効果を考慮して、後日、第１携帯端末３の利用者がある店舗において商品の購入時に割引されるということが考えられる。
【００７９】
上記実施の形態１において、コンテンツの再生中に、第２携帯端末４が移動して家庭内ネットワーク６の外に出ることにより、第２携帯端末４からの存在通知が途切れた場合には、その時刻を第２携帯端末４の視聴終了時刻とするようにしてもよい。このように構成すれば、第２携帯端末４が移動して家庭内ネットワーク６の外に出た場合にも、視聴情報３５ｃの視聴終了時刻を正確に登録することができる。
【００８０】
上記実施の形態１において、第２携帯端末４に、定期的に存在通知を送信するか否かを利用者が設定可能なメニュー項目が設けられていてもよい。
【００８１】
＜実施の形態２＞
図１５は、本発明の実施の形態２に係る視聴情報収集システムの第２携帯端末の動作を説明するフローチャートである。図１５を参照して、実施の形態２に係る視聴情報収集システム１の第２携帯端末４（図２参照）の動作について説明する。なお、実施の形態２に係る視聴情報収集システム１の構成については、上記した実施の形態１に係る視聴情報収集システム１と略同様であるので説明を省略する。
【００８２】
ステップＳ３１：
制御部４６（図２参照）により、後述するステップＳ４４またはＳ４８において第１携帯端末３から家庭内ネットワーク６にマルチキャストで送信された存在確認要求を通信部４３（図２参照）が受信したか否かが判断される。そして、存在確認要求を受信していないと判断される場合（ステップＳ３１：No）には、ステップＳ３１が繰り返し行われる。すなわち、第２携帯端末４は、存在確認要求を受信するまで待機する。そして、存在確認要求を受信したと判断される場合（ステップＳ３１：Yes）には、ステップＳ３２に移る。
【００８３】
ステップＳ３２：
制御部４６により、通信部４３から家庭内ネットワーク６（図２参照）を介して第１携帯端末３に存在通知が送信される。この存在通知には、記憶部４４（図２参照）に記憶された端末識別情報４４ａ（図７参照）が含まれている。その後、ステップＳ３１に戻る。つまり、第２携帯端末４は、存在確認要求に応じて存在通知を送信する。このように構成することにより、再生装置２によるコンテンツの再生が開始される際に、第２携帯端末４から第１携帯端末３に存在通知を送信することができ、再生装置２によるコンテンツの再生が終了される際に、第２携帯端末４から第１携帯端末３に存在通知を送信することができる。
【００８４】
図１６は、本発明の実施の形態２に係る視聴情報収集システムの第１携帯端末および再生装置の動作を説明するフローチャートである。図１６を参照して、実施の形態２に係る視聴情報収集システム１の第１携帯端末３および再生装置２（図２参照）のコンテンツの再生時の動作を説明する。
【００８５】
ステップＳ４１：
第１携帯端末３では、制御部３７（図２参照）により、記録部３１（図２参照）に記録されたコンテンツの再生が指示されたか否かが判断される。そして、コンテンツの再生が指示されていないと判断される場合（ステップＳ４１：No）には、ステップＳ４１が繰り返し行われる。その一方、コンテンツの再生が指示されたと判断される場合（ステップＳ４１：Yes）には、ステップＳ４２に移る。
【００８６】
ステップＳ４２：
制御部３７により、通信部３４（図２参照）から家庭内ネットワーク６（図２参照）を介して再生装置２にコンテンツの再生指示Ｐ１（図１０参照）が送信される。その後、ステップＳ４３に移る。
【００８７】
ステップＳ５１：
再生装置２では、制御部２７（図２参照）により、通信部２４（図２参照）が再生指示Ｐ１を受信したか否かが判断される。そして、コンテンツの再生指示Ｐ１を受信していないと判断される場合（ステップＳ５１：No）には、ステップＳ５１が繰り返し行われる。その一方、コンテンツの再生指示Ｐ１を受信したと判断される場合（ステップＳ５１：Yes）には、ステップＳ５２に移る。
【００８８】
ステップＳ５２：
制御部２７により、通信部２４から家庭内ネットワーク６を介して第１携帯端末３にコンテンツの再生指示に対する応答Ｐ２（図１１参照）が送信される。その後、ステップＳ５３に移る。
【００８９】
ステップＳ４３：
第１携帯端末３では、制御部３７により、通信部３４が応答Ｐ２を受信したか否かが判断される。そして、応答Ｐ２を受信していないと判断される場合（ステップＳ４３：No）には、ステップＳ４３が繰り返し行われる。その一方、応答Ｐ２を受信したと判断される場合（ステップＳ４３：Yes）には、ステップＳ４４に移る。
【００９０】
ステップＳ４４：
制御部３７により、通信部３４から家庭内ネットワーク６に存在確認要求がマルチキャストで送信される。この存在確認要求には、記憶部３５（図２参照）に記憶された端末識別情報３５ｂ（図５参照）が含まれている。その後、ステップＳ４５に移る。
【００９１】
ステップＳ４５：
制御部３７により、上記したステップＳ３２において第２携帯端末４から送信される存在通知を通信部３４が受信したか否かが判断される。そして、存在通知を受信していないと判断される場合（ステップＳ４５：No）には、ステップＳ４５が繰り返し行われる。その一方、存在通知を受信したと判断される場合（ステップＳ４５：Yes）には、ステップＳ４６に移る。
【００９２】
ステップＳ４６：
制御部３７により、コンテンツの視聴開始時刻が記憶部３５の視聴情報３５ｃ（図１２参照）に登録される。このとき、視聴情報３５ｃには、再生が指示されたコンテンツのコンテンツ識別情報「5a4c75e77a」と、コンテンツの視聴開始時刻「2010/9/3 21:04」と、コンテンツの再生指示Ｐ１を送信した第１携帯端末３の端末識別情報「端末１/b1ff21」および第１携帯端末３により受信された存在通知を送信した第２携帯端末４の端末識別情報「端末２/0b257a」とが関連付けられて登録される。その後、ステップＳ４７に移る。
【００９３】
ステップＳ５３：
再生装置２では、制御部２７により、再生が指示されたコンテンツが取得される。その後、ステップＳ５４に移る。
【００９４】
ステップＳ５４：
制御部２７により、取得されたコンテンツが再生される。その後、ステップＳ５５に移る。
【００９５】
ステップＳ５５：
制御部２７により、コンテンツの再生が終了したか否かが判断される。そして、コンテンツの再生が終了していないと判断される場合（ステップＳ５５：No）には、ステップＳ５３に戻る。その一方、コンテンツの再生が終了したと判断される場合（ステップＳ５５：Yes）には、ステップＳ５６に移る。
【００９６】
ステップＳ５６：
制御部２７により、通信部２４から家庭内ネットワーク６を介して第１携帯端末３にコンテンツの再生の終了通知Ｐ３（図１３参照）が送信される。これにより、第１携帯端末３により再生が指示された際の再生装置２の動作が終了する。
【００９７】
ステップＳ４７：
第１携帯端末３では、制御部３７により、通信部３４が終了通知Ｐ３を受信したか否かが判断される。そして、終了通知Ｐ３を受信していないと判断される場合（ステップＳ４７：No）には、ステップＳ４７が繰り返し行われる。その一方、終了通知Ｐ３を受信したと判断される場合（ステップＳ４７：Yes）には、ステップＳ４８に移る。
【００９８】
ステップＳ４８：
制御部３７により、通信部３４から家庭内ネットワーク６に存在確認要求がマルチキャストで送信される。この存在確認要求には、記憶部３５に記憶された端末識別情報３５ｂが含まれている。その後、ステップＳ４９に移る。
【００９９】
ステップＳ４９：
制御部３７により、上記したステップＳ３２において第２携帯端末４から送信される存在通知を通信部３４が受信したか否かが判断される。そして、存在通知を受信していないと判断される場合（ステップＳ４９：No）には、ステップＳ４９が繰り返し行われる。その一方、存在通知を受信したと判断される場合（ステップＳ４９：Yes）には、ステップＳ５０に移る。
【０１００】
ステップＳ５０：
制御部３７により、コンテンツの視聴終了時刻が記憶部３５の視聴情報３５ｃ（図１４参照）に登録される。このとき、視聴情報３５ｃには、コンテンツの視聴終了時刻「2010/9/3 21:14」が登録される。以上により、コンテンツの再生時の第１携帯端末３の動作が終了される。
【０１０１】
上述したように、実施の形態２による視聴情報収集システム１では、第１携帯端末３は、再生指示Ｐ１を通信部３４から家庭内ネットワーク６を介して再生装置２に送信した後に、通信部３４から家庭内ネットワーク６に存在確認要求をマルチキャストで送信し、第２携帯端末４は、通信部４３が存在確認要求を受信した場合に、通信部４３から家庭内ネットワーク６を介して第１携帯端末３に存在通知を送信し、第１携帯端末３は、通信部３４が第２携帯端末４から存在通知を受信した場合に、コンテンツの視聴開始時刻を登録するように構成されている。また、第１携帯端末３は、通信部３４が再生装置２から終了通知Ｐ３を受信した後に、通信部３４から家庭内ネットワーク６に存在確認要求をマルチキャストで送信し、第２携帯端末４は、通信部４３が存在確認要求を受信した場合に、通信部４３から家庭内ネットワーク６を介して第１携帯端末３に存在通知を送信し、第１携帯端末３は、通信部３４が第２携帯端末４から存在通知を受信した場合に、コンテンツの視聴終了時刻を登録するように構成されている。
【０１０２】
このように構成することによって、第２携帯端末４が存在確認要求を受信した場合に存在通知を送信することにより、存在通知を定期的に送信する場合に比べて、第２携帯端末４および家庭内ネットワーク６の負荷を低減することができる。
【０１０３】
なお、実施の形態２による視聴情報収集システム１のその他の効果は、上記した実施の形態１による視聴情報収集システム１と同様である。
【０１０４】
上記実施の形態２において、コンテンツの再生中に、第１携帯端末３が存在確認要求を定期的にマルチキャスト送信するようにしてもよい。このように構成すれば、第１携帯端末３は、存在確認要求を送信した後、第２携帯端末４から存在通知が送信されない場合、すなわち、存在確認要求を送信したにもかかわらず、存在通知を受信できない場合には、第２携帯端末４が移動して家庭内ネットワーク６の外に出たと判断することができる。この場合には、第１携帯端末３は、視聴情報３５ｃの視聴終了時刻を登録する。これにより、第２携帯端末４の利用者が家庭内ネットワーク６から離脱したタイミングを把握することができるとともに、第２携帯端末４の利用者がいつまでコンテンツを視聴したかを把握することができる。
【０１０５】
＜実施の形態３＞
図１７は、本発明の実施の形態３に係る視聴情報収集システムの第２携帯端末の動作を説明するフローチャートである。図１８は、本発明の実施の形態３に係る視聴情報収集システムの再生装置の開始通知を説明する図である。図１７および図１８を参照して、実施の形態３に係る視聴情報収集システム１の第２携帯端末４（図２参照）の動作について説明する。なお、実施の形態３に係る視聴情報収集システム１の構成については、上記した実施の形態１に係る視聴情報収集システム１と略同様であるので説明を省略する。
【０１０６】
ステップＳ６１：
制御部４６（図２参照）により、後述するステップＳ８３（図１９参照）において再生装置２から家庭内ネットワーク６にマルチキャストで送信されるコンテンツの開始通知Ｐ４（図１８参照）を通信部４３（図２参照）が受信したか否かが判断される。そして、開始通知Ｐ４を受信していないと判断される場合（ステップＳ６１：No）には、ステップＳ６１が繰り返し行われる。その一方、開始通知Ｐ４を受信したと判断される場合（ステップＳ６１：Yes）には、ステップＳ６２に移る。
【０１０７】
ステップＳ６２：
制御部４６により、通信部４３から家庭内ネットワーク６に存在通知がマルチキャストで送信される。この存在通知には、記憶部４４（図２参照）に記憶された端末識別情報４４ａ（図７参照）が含まれている。このように構成することにより、再生装置２によるコンテンツの再生が開始される際に、第２携帯端末４から第１携帯端末３に存在通知を送信することができる。その後、ステップＳ６３に移る。
【０１０８】
ステップＳ６３：
制御部４６により、後述するステップＳ８７（図１９参照）において再生装置２から家庭内ネットワーク６にマルチキャストで送信されるコンテンツの終了通知Ｐ３（図１３参照）を通信部４３が受信したか否かが判断される。そして、終了通知Ｐ３を受信していないと判断される場合（ステップＳ６３：No）には、ステップＳ６３が繰り返し行われる。その一方、終了通知Ｐ３を受信したと判断される場合（ステップＳ６３：Yes）には、ステップＳ６４に移る。
【０１０９】
ステップＳ６４：
制御部４６により、通信部４３から家庭内ネットワーク６に存在通知がマルチキャストで送信される。このように構成することにより、再生装置２によるコンテンツの再生が終了される際に、第２携帯端末４から第１携帯端末３に存在通知を送信することができる。これにより、第１携帯端末３により再生が指示された際の第２携帯端末４の動作が終了する。
【０１１０】
図１９は、本発明の実施の形態３に係る視聴情報収集システムの第１携帯端末および再生装置の動作を説明するフローチャートである。図１９を参照して、実施の形態３に係る視聴情報収集システム１の第１携帯端末３および再生装置２（図２参照）のコンテンツの再生時の動作を説明する。
【０１１１】
ステップＳ７１：
第１携帯端末３では、制御部３７（図２参照）により、記録部３１（図２参照）に記録されたコンテンツの再生が指示されたか否かが判断される。そして、コンテンツの再生が指示されていないと判断される場合（ステップＳ７１：No）には、ステップＳ７１が繰り返し行われる。その一方、コンテンツの再生が指示されたと判断される場合（ステップＳ７１：Yes）には、ステップＳ７２に移る。
【０１１２】
ステップＳ７２：
制御部３７により、通信部３４（図２参照）から家庭内ネットワーク６（図２参照）を介して再生装置２にコンテンツの再生指示Ｐ１（図１０参照）が送信される。その後、ステップＳ７３に移る。
【０１１３】
ステップＳ８１：
再生装置２では、制御部２７（図２参照）により、通信部２４（図２参照）が再生指示Ｐ１を受信したか否かが判断される。そして、コンテンツの再生指示Ｐ１を受信していないと判断される場合（ステップＳ８１：No）には、ステップＳ８１が繰り返し行われる。その一方、コンテンツの再生指示Ｐ１を受信したと判断される場合（ステップＳ８１：Yes）には、ステップＳ８２に移る。
【０１１４】
ステップＳ８２：
制御部２７により、通信部２４から家庭内ネットワーク６を介して第１携帯端末３にコンテンツの再生指示に対する応答Ｐ２（図１１参照）が送信される。その後、ステップＳ８３に移る。
【０１１５】
ステップＳ７３：
第１携帯端末３では、制御部３７により、通信部３４が応答Ｐ２を受信したか否かが判断される。そして、応答Ｐ２を受信していないと判断される場合（ステップＳ７３：No）には、ステップＳ７３が繰り返し行われる。そして、応答Ｐ２を受信したと判断される場合（ステップＳ７３：Yes）には、ステップＳ７４に移る。
【０１１６】
ステップＳ８３：
再生装置２では、制御部２７により、通信部２４から家庭内ネットワーク６にコンテンツの再生の開始通知Ｐ４（図１８参照）がマルチキャストで送信される。開始通知Ｐ４には、コマンドの番号（コマンドコード）と、コンテンツ識別情報（コンテンツＩＤ）と、制御対象を識別するための制御対象識別情報（コントロールＩＤ）とが含まれている。その後、ステップＳ８４に移る。
【０１１７】
ステップＳ７４：
第１携帯端末３では、制御部３７により、再生装置２から家庭内ネットワーク６にマルチキャストで送信されるコンテンツの開始通知Ｐ４（図１８参照）を通信部３４が受信したか否かが判断される。そして、開始通知Ｐ４を受信していないと判断される場合（ステップＳ７４：No）には、ステップＳ７４が繰り返し行われる。その一方、開始通知Ｐ４を受信したと判断される場合（ステップＳ７４：Yes）には、ステップＳ７５に移る。
【０１１８】
ステップＳ７５：
制御部３７により、上記したステップＳ６２において第２携帯端末４から家庭内ネットワーク６にマルチキャストで送信される存在通知を通信部３４が受信したか否かが判断される。そして、存在通知を受信していないと判断される場合（ステップＳ７５：No）には、ステップＳ７５が繰り返し行われる。その一方、存在通知を受信したと判断される場合（ステップＳ７５：Yes）には、ステップＳ７６に移る。
【０１１９】
ステップＳ７６：
制御部３７により、コンテンツの視聴開始時刻が記憶部３５の視聴情報３５ｃ（図１２参照）に登録される。このとき、視聴情報３５ｃには、再生が指示されたコンテンツのコンテンツ識別情報「5a4c75e77a」と、コンテンツの視聴開始時刻「2010/9/3 21:04」と、コンテンツの再生指示Ｐ１を送信した第１携帯端末３の端末識別情報「端末１/b1ff21」および第１携帯端末３により受信された存在通知を送信した第２携帯端末４の端末識別情報「端末２/0b257a」とが関連付けられて登録される。その後、ステップＳ７７に移る。
【０１２０】
ステップＳ８４：
再生装置２では、制御部２７により、再生が指示されたコンテンツが取得される。その後、ステップＳ８５に移る。
【０１２１】
ステップＳ８５：
制御部２７により、取得されたコンテンツが再生される。その後、ステップＳ８６に移る。
【０１２２】
ステップＳ８６：
制御部２７により、コンテンツの再生が終了したか否かが判断される。そして、コンテンツの再生が終了していないと判断される場合（ステップＳ８６：No）には、ステップＳ８４に戻る。その一方、コンテンツの再生が終了したと判断される場合（ステップＳ８６：Yes）には、ステップＳ８７に移る。
【０１２３】
ステップＳ８７：
制御部２７により、通信部２４から家庭内ネットワーク６にコンテンツの再生の終了通知Ｐ３（図１３参照）がマルチキャストで送信される。これにより、第１携帯端末３により再生が指示された際の再生装置２の動作が終了する。
【０１２４】
ステップＳ７７：
第１携帯端末３では、制御部３７により、再生装置２から家庭内ネットワーク６にマルチキャストで送信されるコンテンツの終了通知Ｐ３（図１３参照）を通信部３４が受信したか否かが判断される。そして、終了通知Ｐ３を受信していないと判断される場合（ステップＳ７７：No）には、ステップＳ７７が繰り返し行われる。その一方、終了通知Ｐ３を受信したと判断される場合（ステップＳ７７：Yes）には、ステップＳ７８に移る。
【０１２５】
ステップＳ７８：
制御部３７により、上記したステップＳ６４において第２携帯端末４から家庭内ネットワーク６にマルチキャストで送信される存在通知を通信部３４が受信したか否かが判断される。そして、存在通知を受信していないと判断される場合（ステップＳ７８：No）には、ステップＳ７８が繰り返し行われる。そして、存在通知を受信したと判断される場合（ステップＳ７８：Yes）には、ステップＳ７９に移る。
【０１２６】
ステップＳ７９：
制御部３７により、コンテンツの視聴終了時刻が記憶部３５の視聴情報３５ｃ（図１４参照）に登録される。このとき、視聴情報３５ｃには、コンテンツの視聴終了時刻「2010/9/3 21:14」が登録される。以上により、コンテンツの再生時の第１携帯端末３の動作が終了される。
【０１２７】
上述したように、実施の形態３による視聴情報収集システム１では、第１携帯端末３は、再生指示Ｐ１を通信部３４から家庭内ネットワーク６を介して再生装置２に送信し、再生装置２は、通信部２４が第１携帯端末３から再生指示Ｐ１を受信した場合に、通信部２４から家庭内ネットワーク６にコンテンツの再生の開始通知Ｐ４をマルチキャストで送信するように構成されている。そして、第２携帯端末４は、通信部４３が開始通知Ｐ４を受信した場合に、通信部４３から家庭内ネットワーク６に存在通知をマルチキャストで送信し、第１携帯端末３は、通信部３４が第２携帯端末４から存在通知を受信した場合に、コンテンツの視聴開始時刻を登録するように構成されている。
【０１２８】
また、再生装置２は、コンテンツの再生が終了した場合に、通信部２４から家庭内ネットワーク６にコンテンツの再生の終了通知Ｐ３をマルチキャストで送信し、第２携帯端末４は、通信部４３が終了通知Ｐ３を受信した場合に、通信部４３から家庭内ネットワーク６に存在通知をマルチキャストで送信し、第１携帯端末３は、通信部３４が第２携帯端末４から存在通知を受信した場合に、コンテンツの視聴終了時刻を登録するように構成されている。
【０１２９】
なお、実施の形態３による視聴情報収集システム１の効果は、上記した実施の形態１による視聴情報収集システム１と同様である。
【０１３０】
＜実施の形態４＞
図２０は、本発明の実施の形態４に係る視聴情報収集システムの第２携帯端末の動作を説明するフローチャートである。図２０を参照して、実施の形態４に係る視聴情報収集システム１の第２携帯端末４（図２参照）の動作について説明する。なお、実施の形態４に係る視聴情報収集システム１の構成については、上記した実施の形態１に係る視聴情報収集システム１と略同様であるので説明を省略する。
【０１３１】
ステップＳ９１：
制御部４６（図２参照）により、後述するステップＳ１０２（図２１参照）において第１携帯端末３から家庭内ネットワーク６にマルチキャストで送信される再生指示Ｐ１（図１０参照）を通信部４３（図２参照）が受信したか否かが判断される。そして、再生指示Ｐ１を受信していないと判断される場合（ステップＳ９１：No）には、ステップＳ９１が繰り返し行われる。その一方、再生指示Ｐ１を受信したと判断される場合（ステップＳ９１：Yes）には、ステップＳ９２に移る。
【０１３２】
ステップＳ９２：
制御部４６により、通信部４３から家庭内ネットワーク６（図２参照）を介して第１携帯端末３に存在通知が送信される。この存在通知には、記憶部４４（図２参照）に記憶された端末識別情報４４ａ（図７参照）が含まれている。このように構成することにより、再生装置２によるコンテンツの再生が開始される際に、第２携帯端末４から第１携帯端末３に存在通知を送信することができる。その後、ステップＳ９３に移る。
【０１３３】
ステップＳ９３：
制御部４６により、後述するステップＳ１１６（図２１参照）において再生装置２から家庭内ネットワーク６にマルチキャストで送信される終了通知Ｐ３（図１３参照）を通信部４３が受信したか否かが判断される。そして、終了通知Ｐ３を受信していないと判断される場合（ステップＳ９３：No）には、ステップＳ９３が繰り返し行われる。その一方、終了通知Ｐ３を受信したと判断される場合（ステップＳ９３：Yes）には、ステップＳ９４に移る。
【０１３４】
ステップＳ９４：
制御部４６により、通信部４３から家庭内ネットワーク６に存在通知がマルチキャストで送信される。このように構成することにより、再生装置２によるコンテンツの再生が終了される際に、第２携帯端末４から第１携帯端末３に存在通知を送信することができる。これにより、第１携帯端末３により再生が指示された際の第２携帯端末４の動作が終了する。
【０１３５】
図２１は、本発明の実施の形態４に係る視聴情報収集システムの第１携帯端末および再生装置の動作を説明するフローチャートである。図２１を参照して、実施の形態４に係る視聴情報収集システム１の第１携帯端末３および再生装置２（図２参照）のコンテンツの再生時の動作を説明する。
【０１３６】
ステップＳ１０１：
第１携帯端末３では、制御部３７（図２参照）により、記録部３１（図２参照）に記録されたコンテンツの再生が指示されたか否かが判断される。そして、コンテンツの再生が指示されていないと判断される場合（ステップＳ１０１：No）には、ステップＳ１０１が繰り返し行われる。その一方、コンテンツの再生が指示されたと判断される場合（ステップＳ１０１：Yes）には、ステップＳ１０２に移る。
【０１３７】
ステップＳ１０２：
制御部３７により、通信部３４（図２参照）から家庭内ネットワーク６（図２参照）にコンテンツの再生指示Ｐ１がマルチキャストで送信される。その後、ステップＳ１０３に移る。
【０１３８】
ステップＳ１１１：
再生装置２では、制御部２７（図２参照）により、通信部２４（図２参照）が再生指示Ｐ１を受信したか否かが判断される。そして、コンテンツの再生指示Ｐ１を受信していないと判断される場合（ステップＳ１１１：No）には、ステップＳ１１１が繰り返し行われる。その一方、コンテンツの再生指示Ｐ１を受信したと判断される場合（ステップＳ１１１：Yes）には、ステップＳ１１２に移る。
【０１３９】
ステップＳ１１２：
制御部２７により、通信部２４から家庭内ネットワーク６を介して第１携帯端末３にコンテンツの再生指示に対する応答Ｐ２（図１１参照）が送信される。その後、ステップＳ１１３に移る。
【０１４０】
ステップＳ１０３：
第１携帯端末３では、制御部３７により、通信部３４が応答Ｐ２を受信したか否かが判断される。そして、応答Ｐ２を受信していないと判断される場合（ステップＳ１０３：No）には、ステップＳ１０３が繰り返し行われる。その一方、応答Ｐ２を受信したと判断される場合（ステップＳ１０３：Yes）には、ステップＳ１０４に移る。
【０１４１】
ステップＳ１０４：
制御部３７により、上記したステップＳ９２において第２携帯端末４から第１携帯端末３に送信される存在通知を通信部３４が受信したか否かが判断される。そして、存在通知を受信していないと判断される場合（ステップＳ１０４：No）には、ステップＳ１０４が繰り返し行われる。その一方、存在通知を受信したと判断される場合（ステップＳ１０４：Yes）には、ステップＳ１０５に移る。
【０１４２】
ステップＳ１０５：
制御部３７により、コンテンツの視聴開始時刻が記憶部３５の視聴情報３５ｃ（図１２参照）に登録される。このとき、視聴情報３５ｃには、再生が指示されたコンテンツのコンテンツ識別情報「5a4c75e77a」と、コンテンツの視聴開始時刻「2010/9/3 21:04」と、コンテンツの再生指示Ｐ１を送信した第１携帯端末３の端末識別情報「端末１/b1ff21」および第１携帯端末３により受信された存在通知を送信した第２携帯端末４の端末識別情報「端末２/0b257a」とが関連付けられて登録される。その後、ステップＳ１０６に移る。
【０１４３】
ステップＳ１１３：
再生装置２では、制御部２７により、再生が指示されたコンテンツが取得される。その後、ステップＳ１１４に移る。
【０１４４】
ステップＳ１１４：
制御部２７により、取得されたコンテンツが再生される。その後、ステップＳ１１５に移る。
【０１４５】
ステップＳ１１５：
制御部２７により、コンテンツの再生が終了したか否かが判断される。そして、コンテンツの再生が終了していないと判断される場合（ステップＳ１１５：No）には、ステップＳ１１３に戻る。その一方、コンテンツの再生が終了したと判断される場合（ステップＳ１１５：Yes）には、ステップＳ１１６に移る。
【０１４６】
ステップＳ１１６：
制御部２７により、通信部２４から家庭内ネットワーク６にコンテンツの再生の終了通知Ｐ３（図１３参照）がマルチキャストで送信される。これにより、第１携帯端末３により再生が指示された際の再生装置２の動作が終了する。
【０１４７】
ステップＳ１０６：
第１携帯端末３では、制御部３７により、通信部３４が終了通知Ｐ３を受信したか否かが判断される。そして、終了通知Ｐ３を受信していないと判断される場合（ステップＳ１０６：No）には、ステップＳ１０６が繰り返し行われる。その一方、終了通知Ｐ３を受信したと判断される場合（ステップＳ１０６：Yes）には、ステップＳ１０７に移る。
【０１４８】
ステップＳ１０７：
制御部３７により、上記したステップＳ９４において第２携帯端末４から家庭内ネットワーク６にマルチキャストで送信される存在通知を通信部３４が受信したか否かが判断される。そして、存在通知を受信していないと判断される場合（ステップＳ１０７：No）には、ステップＳ１０７が繰り返し行われる。その一方、存在通知を受信したと判断される場合（ステップＳ１０７：Yes）には、ステップＳ１０８に移る。
【０１４９】
ステップＳ１０８：
制御部３７により、コンテンツの視聴終了時刻が記憶部３５の視聴情報３５ｃ（図１４参照）に登録される。このとき、視聴情報３５ｃには、コンテンツの視聴終了時刻「2010/9/3 21:14」が登録される。以上により、コンテンツの再生時の第１携帯端末３の動作が終了される。
【０１５０】
上述したように、実施の形態４による視聴情報収集システム１では、第１携帯端末３は、通信部３４から家庭内ネットワーク６に再生指示Ｐ１をマルチキャストで送信し、第２携帯端末４は、通信部４３が再生指示Ｐ１を受信した場合に、通信部４３から家庭内ネットワーク６を介して第１携帯端末３に存在通知を送信し、第１携帯端末３は、通信部３４が第２携帯端末４から存在通知を受信した場合に、コンテンツの視聴開始時刻を登録するように構成されている。また、再生装置２は、コンテンツの再生が終了した場合に、通信部２４から家庭内ネットワーク６にコンテンツの再生の終了通知Ｐ３をマルチキャストで送信し、第２携帯端末４は、通信部４３が終了通知Ｐ３を受信した場合に、通信部４３から家庭内ネットワーク６に存在通知をマルチキャストで送信し、第１携帯端末３は、通信部３４が第２携帯端末４から存在通知を受信した場合に、コンテンツの視聴終了時刻を登録するように構成されている。
【０１５１】
なお、実施の形態４による視聴情報収集システム１の効果は、上記した実施の形態１による視聴情報収集システム１と同様である。
【０１５２】
上記実施の形態４では、第２携帯端末４が、第１携帯端末３から家庭内ネットワーク６にマルチキャストで送信される再生指示Ｐ１を受信した場合に存在通知を送信し、再生装置２から家庭内ネットワーク６にマルチキャストで送信される終了通知Ｐ３を受信した場合に存在通知を送信する例を示したが、これに限らず、第２携帯端末４が、第１携帯端末３から再生装置２に送信される再生指示Ｐ１をキャプチャした場合に存在通知を送信し、再生装置２から第１携帯端末３に送信される終了通知Ｐ３をキャプチャした場合に存在通知を送信するようにしてもよい。
【０１５３】
＜実施の形態５＞
図２２は、本発明の実施の形態５に係る視聴情報収集システムの構成を示した概略図である。図２３は、図２２に示した視聴情報収集システムのブロック構成を示したブロック図である。図２２および図２３を参照して、実施の形態５に係る視聴情報収集システム１ａの構成について説明する。なお、以下では、実施の形態１〜実施の形態４に係る視聴情報収集システム１と同一構成部分には同一符号を付して重複する説明を省略する。
【０１５４】
視聴情報収集システム１ａは、再生装置２と、第１携帯端末３ａと、第２携帯端末４と、コンテンツ配信サーバ８とを備え、これらがルータ５およびインターネット７を介して相互に接続されている。
【０１５５】
第１携帯端末３ａは、上記した第１携帯端末３と異なり、コンテンツが記録された記録部３１（図２参照）が設けられていない。そして、第１携帯端末３ａは、再生装置２にコンテンツの再生指示をする際に、コンテンツの位置情報として、コンテンツ配信サーバ８のアドレスを指定するように構成されている。これにより、再生装置２は、コンテンツの再生を行う際に、コンテンツをコンテンツ配信サーバ８から取得する。具体的には、再生装置２は、通信部２４により、コンテンツ配信サーバ８の記録部８１（図２３参照）に記録されたコンテンツを家庭内ネットワーク６およびインターネット７を介して受信する。なお、第１携帯端末３ａのその他の構成は、上記した第１携帯端末３と同様である。
【０１５６】
コンテンツ配信サーバ８は、インターネット７を介してルータ５（図２２参照）に接続されている。コンテンツ配信サーバ８は、図２３に示すように、記録部８１と、通信部８２と、記憶部８３と、一時記憶部８４と、制御部８５とを含んでいる。
【０１５７】
記録部８１は、たとえば、ハードディスクドライブなどの磁気ディスク装置であり、コンテンツが記録されている。なお、コンテンツは、広告コンテンツであってもよいし、課金コンテンツであってもよい。
【０１５８】
通信部８２は、インターネット７および家庭内ネットワーク６を介して再生装置２にコンテンツを送信するために設けられている。記憶部８３は、たとえば、フラッシュメモリであり、コンテンツ配信サーバ８を動作させるためのプログラムや、プログラムが実行される際に用いられる設定値などを記憶する機能を有する。
【０１５９】
一時記憶部８４は、たとえば、ＤＲＡＭであり、実行されるプログラムなどを一時的に記憶する機能を有する。制御部８５は、記憶部８３に記憶されたプログラムを実行するＣＰＵなどを含み、コンテンツ配信サーバ８の動作を制御するために設けられている。
【０１６０】
なお、視聴情報収集システム１ａの効果は、上記した視聴情報収集システム１と同様である。
【０１６１】
上記実施の形態５では、コンテンツが記録された記録部３１が第１携帯端末３ａに設けられていない例を示したが、これに限らず、記録部３１が第１携帯端末３ａに設けられていてもよい。
【０１６２】
本発明は、上記した実施の形態１〜実施の形態５に限定されるものではない。たとえば、上記実施の形態１〜実施の形態５を相互に適用するようにしてもよい。
【０１６３】
また、実施の形態１〜実施の形態５では、家庭内ネットワーク６に接続される再生装置２によりコンテンツが再生される際に視聴情報を収集する例を示したが、これに限らず、公衆無線ＬＡＮ（ホットスポット（登録商標））に接続されるインフォメーションディスプレイによりコンテンツが再生される際に視聴情報を収集するようにしてもよい。
【０１６４】
また、上記実施の形態１〜実施の形態５において、コンテンツの再生中に、再生されるコンテンツの停止指示が第１携帯端末から送信されることにより、再生装置によるコンテンツの再生が停止した場合にも、視聴終了時刻が登録されるようにしてもよい。
【０１６５】
また、上記実施の形態１〜実施の形態５において、コンテンツの再生中に、第２携帯端末が移動して家庭内ネットワークの外に出る際に、第２携帯端末が第１携帯端末に視聴を終了する旨の通知をし、第１携帯端末がその通知を受信した場合にその通知を受信した時刻を第２携帯端末の視聴終了時刻とするようにしてもよい。このように構成すれば、第２携帯端末が移動して家庭内ネットワークの外に出た場合にも、視聴情報の視聴終了時刻を正確に登録することができる。
【０１６６】
また、上記実施の形態１〜実施の形態５では、視聴情報には、コンテンツ識別情報（コンテンツＩＤ）と、コンテンツの視聴開始時刻および視聴終了時刻と、端末識別情報とが含まれる例を示したが、これに限らず、視聴情報に、コンテンツ識別情報および視聴者数のみが含まれていてもよい。この場合には、第１携帯端末は、第２携帯端末から存在通知を受信した場合に、第１携帯端末により再生が指示されたコンテンツのコンテンツ識別情報と、受信した存在通知に基づいて判断される視聴者数とを関連付けて視聴情報として記憶部に記憶するように構成される。このように構成すれば、視聴情報に基づいて、コンテンツの視聴者数を容易に判断することができる。なお、コンテンツの再生が開始されてから終了するまで視聴した者のみを視聴者数としてカウントするようにしてもよいし、再生されるコンテンツの少なくとも一部を視聴した者を視聴者数としてカウントするようにしてもよい。すなわち、第１携帯端末は、コンテンツの再生が開始される際、およびコンテンツの再生が終了される際に、第２携帯端末から送信される存在通知を受信した場合に、その第２携帯端末を視聴者数としてカウントするようにしてもよいし、少なくともコンテンツが再生されている際に第２携帯端末から送信される存在通知を受信した場合に、その第２携帯端末を視聴者数としてカウントするようにしてもよい。なお、第１携帯端末は、同一の第２携帯端末から存在通知を複数回受信した場合には、端末識別情報に基づいて重複してカウントしないように構成されている。
【符号の説明】
【０１６７】
１、１ａ  視聴情報収集システム
２        再生装置
３、３ａ  第１携帯端末
４        第２携帯端末
２４      通信部
３５      記憶部
【図１】
2012124735.tif 000003
【図２】
2012124735.tif 000004
【図３】
2012124735.tif 000005
【図４】
2012124735.tif 000006
【図５】
2012124735.tif 000007
【図６】
2012124735.tif 000008
【図７】
2012124735.tif 000009
【図８】
2012124735.tif 000010
【図９】
2012124735.tif 000011
【図１０】
2012124735.tif 000012
【図１１】
2012124735.tif 000013
【図１２】
2012124735.tif 000014
【図１３】
2012124735.tif 000015
【図１４】
2012124735.tif 000016
【図１５】
2012124735.tif 000017
【図１６】
2012124735.tif 000018
【図１７】
2012124735.tif 000019
【図１８】
2012124735.tif 000020
【図１９】
2012124735.tif 000021
【図２０】
2012124735.tif 000022
【図２１】
2012124735.tif 000023
【図２２】
2012124735.tif 000024
【図２３】
2012124735.tif 000025